(57)【特許請求の範囲】
【請求項１】
下端部とシーツ端部を有する複数個の上部チューブ；
上端部を有する複数個の脚チューブ；
複数個のチューブレセプタクルを持つシーツバック；及び
複数個の上部孔と複数個の下部孔を有する中央チューブコネクター；を含み、
前記上部チューブの下端部は、前記上部孔の内部に挿入されることによって前記中央チューブコネクターに脱着できるように繋がって、
前記脚チューブの上端部は前記下部孔の内部に挿入されることによって前記中央チューブコネクターに脱着できるように繋がって、
前記上部チューブのシーツ端部は前記チューブレセプタクルに脱着できるように繋がって、前記下端部及びシーツ端部以外の前記上部チューブの如何なる部分も前記シーツバックと接触されず、
前記中央チューブコネクターは、下部体上で回転する上部体を持ち、前記上部体及び下部体の中心を介して通過されるシリンダーが結合され、前記上部孔は前記上部体に配置され、前記下部孔は前記下部体に配置され、
前記シリンダーは、前記上部体及び下部体の中心を貫いて繋がるシリンダー本体；
前記シリンダー本体の上側に繋がって、外周にねじ山が形成されて前記上部体の上部とねじ締結される雄ねじ部；及び
前記シリンダー本体の下側に繋がって、内周にねじ山が形成されて前記下部体の下部とボルト締結される雌ねじ部；を含む、折りたたみ式椅子。
【請求項２】
それぞれの前記上部チューブは脱着可能なセクションで構成される、請求項１に記載の折りたたみ式椅子。
【請求項３】
それぞれの前記上部チューブの下端部は、対応する前記上部孔にぴったり合うように繋がる大きさのサイズを持つ、請求項１に記載の折りたたみ式椅子。
【請求項４】
複数個の前記上部チューブは４つのチューブで構成され、
前記シーツ端部は前記シーツバックの４つのコーナーで前記チューブレセプタクルの内部に結合される、請求項１に記載の折りたたみ式椅子。
【請求項５】
前記シーツバックは織物で作られる、請求項１に記載の折りたたみ式椅子。
【請求項６】
前記上部体の下面にはリング状のスラストブッシュが設けられ、
前記上部体の下側には前記シリンダー本体の外周を包むように嵌められるラジアルブッシュが設けられ、
前記雌ねじ部の外周を包むように嵌められるラジアルブッシュが設けられ、
前記ボルトの外周にロックワッシャが設けられていることを特徴とする、請求項１〜５のいずれか１項に記載の折りたたみ式椅子。
【請求項７】
前記上部チューブは前記中央チューブコネクターの上方または下方へ延長されないシリンダーに対して回転する、請求項１に記載の折りたたみ式椅子。
【請求項８】
前記中央チューブコネクターは球状である、請求項１に記載の折りたたみ式椅子。
【請求項９】
複数個の前記上部チューブは、第１の長さの２つのチューブと第２の長さの２つのチューブで構成され、前記第１の長さは前記第２の長さより長い、請求項１に記載の折りたたみ式椅子。
【請求項１０】
前記上部孔のいずれか一つを貫いて前記上部チューブのいずれか一つの内部へ通過される弾性コードをさらに含む、請求項１に記載の折りたたみ式椅子。
【請求項１１】
前記上部チューブは、下部内側に補強チューブが挿入して結合され、
前記脚チューブは、上部内側に補強チューブが挿入して結合されたことを特徴とする、請求項１に記載の折りたたみ式椅子。
【請求項１２】
下端部とシーツ端部を有する複数個の上部チューブ；
上端部を有する複数個の脚チューブ；
複数個のチューブレセプタクルを持ち、前記上部チューブのシーツ端部が前記チューブレセプタクルに脱着できるように繋がるシーツバック；及び
前記脚チューブが脱着できるように繋がる第２部と、前記第２部上で回転される第１部を含み、前記第１部上及び前記第２部の中心を介して通過されるシリンダーが結合され、前記第１部に前記上部チューブを脱着できるように繋ぐ連結手段；を含み、
前記シリンダーは、前記第１部及び前記第２部の中心を貫いて繋がるシリンダー本体；
前記シリンダー本体の上側に繋がって、外周にねじ山が形成されて前記第１部の上部とねじ締結される雄ねじ部；及び
前記シリンダー本体の下側に繋がって、内周にねじ山が形成されて前記第２部の下部とボルト締結される雌ねじ部；を含み、
前記下端部以外の前記上部チューブの如何なる部分も前記連結手段に接触されない折りたたみ式椅子。
【請求項１３】
前記上部チューブのいずれか一つを貫いて前記連結手段の内部へ通過される弾性コードをさらに含む、請求項１２に記載の折りたたみ式椅子。
【請求項１４】
それぞれの前記上部チューブは脱着可能なセクションで構成される、請求項１２に記載の折りたたみ式椅子。
【請求項１５】
それぞれの前記上部チューブの下端部は前記第１部の内部の孔にぴったり合うように繋がる大きさのサイズを持つ、請求項１２に記載の折りたたみ式椅子。
【請求項１６】
複数個の前記上部チューブは第１の長さの２つのチューブと第２の長さの２つのチューブで構成され、前記第１の長さは前記第２の長さより長い、請求項１２に記載の折りたたみ式椅子。
【請求項１７】
底板と、前記底板の端に前記脚チューブの数に対応される数を持って、前記脚チューブの下端が挿入して支持される複数個の挿入ポケットが備えられた底支持部をさらに含む、請求項１又は１２に記載の折りたたみ式椅子。
【請求項１８】
下端部及びシーツ端部を有し、セクションで構成される複数個の上部チューブを形成する段階；
上端部を有する複数個の脚チューブを形成する段階；
中央チューブコネクターの内部に複数個の上部孔と複数個の下部孔を形成するが、前記上部チューブの下端部は前記上部孔にぴったり合うように繋がる大きさのサイズを持ち、前記脚チューブの上端部は前記下部孔にぴったり合うように繋がる大きさのサイズを持つように形成する段階；及び
前記上部チューブのシーツ端部上に繋げるために、複数個のチューブレセプタクルを持つシーツバックを作る段階；を含み、
前記中央チューブコネクターは下部体上で回転する上部体を持ち、前記上部孔は前記上部体に配置され、前記下部孔は前記下部体に配置され、  
前記シリンダーは、前記上部体及び下部体の中心を貫いて繋がるシリンダー本体；
前記シリンダー本体の上側に繋がって、外周にねじ山が形成されて前記上部体の上部とねじ締結される雄ねじ部；及び
前記シリンダー本体の下側に繋がって、内周にねじ山が形成されて前記下部体の下部とボルト締結される雌ねじ部；を含む、折りたたみ式椅子の製造方法。
【請求項１９】
収納バッグの内部に、前記上部チューブ、脚チューブ、中央チューブコネクター、及びシーツバックを入れる段階をさらに含む、請求項１８に記載の折りたたみ式椅子の製造方法。
【請求項２０】
弾性コードを前記上部孔のいずれか一つを通じて、前記上部チューブのいずれか一つの内部へ引っ張る段階をさらに含む、請求項１８に記載の折りたたみ式椅子の製造方法。
【請求項２１】
それぞれの前記上部チューブは脱着可能なセクションで構成される、請求項１８に記載の折りたたみ式椅子の製造方法。
【発明の詳細な説明】
【技術分野】
【０００１】
本出願は２０１３年９月２８日、アメリカに特許出願された特許文献１における優先権の利益を請求し、アメリカに特許出願された発明の内容は引用によって本出願で全体的に参照されることができる。
【０００２】
本発明は折りたたみ式椅子に関するものであって、より詳細にはキャンピング、釣り、野外コンサートとスポーツ行事などで、携帯して便利に使うことができる折りたたみ式椅子に関する。
【背景技術】
【０００３】
携帯用椅子はシーツを使えない野外活動時に便利であるが、省スペースのために家庭で一般的に使われる折りたたみ式椅子は、キャンピング、ハイキング、釣り、野外コンサート及びスポーツ行事のようなほとんどの野外活動で携帯用としての使用には十分ではない。
【０００４】
野外活動のための携帯用椅子は軽くて、コンパクトでなければならない。例えば、ハイキングやキャンピングで使われる椅子はバッグパックにぴったり収容されるべきであり、使用者に荷重を与えてはいけない。
【０００５】
野外のスポーツ行事で使われる一般的なチューブ及びキャンバス折りたたみ式椅子は、ハイキングで所持するには単純で、大き過ぎるし、重い。よって、より小さくて軽い折りたたみ式椅子が使用者のトランクから近い距離の野外行事でより便利に使われることができる。
【０００６】
従来の技術として、図１はハイキング及びキャンピングに適している、組み立てられた軽量の折りたたみ式椅子１０を示す。このような折りたたみ式椅子１０は、およそ２つの成形プラスチックのチューブコネクター１１で組み立てられる。金属のチューブ１２は、折りたたみ式椅子１０を組み立てるために前記チューブコネクター１１内部の開口に挿入される。そして、前記チューブ１２の他端部は、キャンバスシーツバック１３のコーナーポケットの内部に挿入される。
【０００７】
また、図２は図１の折りたたみ式椅子１０の分解状態を示す。これを参考にすると、前記チューブ１２はチューブコネクター１１から除去され、キャンバスシーツバック１３の内部へ折られることができる。よって、前記折りたたみ式椅子１０は小さいかばんやバッグパックに便利に折りたたまれる。
【０００８】
しかし、このような従来の折りたたみ式椅子１０は、特にキャンピング、ハイキング、釣り、スポーツ行事及びコンサートのような野外活動をするにあたり、野外の不均一な地面で使うには不安定であるという短所があった。
【０００９】
つまり、右側の二つの脚が左側の二つの脚から比較的に遠く離れて離隔されているが、相変らず前脚が後脚に対して比較的に近く離隔されているので、椅子に座っているヒトは後へ倒れることがある問題がある。
【００１０】
同時に、椅子と同じ大きさの堅い金属フレームはより安定性を提供することはできるが、軽量の金属チューブ１２は座っているヒトの重さによってある程度曲がることができ、重心が後脚の両端の後に移動される傾向がある。
【先行技術文献】
【特許文献】
【００１１】
【特許文献１】米国特許出願第１４／０４０，６３３号明細書
【発明の概要】
【発明が解決しようとする課題】
【００１２】
本発明は上述の問題を解決するために案出されたものであって、コンパクトで、軽量であり、堅固でありながら、野外の不均一な地面で安定的に使うために適した折りたたみ式椅子及びその製造方法の提供にその目的がある。
【課題を解決するための手段】
【００１３】
前記課題を解決するために、本発明は下端部とシーツ端部を有する複数個の上部チューブ；上端部を有する複数個の脚チューブ；複数個のチューブレセプタクルを持つシーツバック；及び複数個の上部孔と複数個の下部孔を有する中央チューブコネクター；を含み、前記上部チューブの下端部は前記上部孔の内部に挿入されることによって前記中央チューブコネクターに脱着できるように繋がって、前記脚チューブの上端部は前記下部孔の内部に挿入されることによって前記中央チューブコネクターに脱着できるように繋がるし、前記上部チューブのシーツ端部は前記チューブレセプタクルに脱着できるように繋がって、前記下端部及びシーツ端部以外の前記上部チューブの如何なる部分も折りたたみ式椅子と接触されない折りたたみ式椅子を提供する。
【００１４】
この時、それぞれの前記上部チューブは脱着できるセクションで構成されることにもその特徴がある。
【００１５】
さらに、それぞれの前記上部チューブの下端部は対応する前記上部孔にぴったり合うように繋がる大きさのサイズを持つことにもその特徴がある。
【００１６】
それだけでなく、複数個の前記上部チューブは４つのチューブで構成され、前記シーツ端部は前記シーツバックの４つのコーナーで前記チューブレセプタクルの内部に結合されることにもその特徴がある。
【００１７】
勿論、前記シーツバックは織物で作られることにもその特徴がある。
【００１８】
同時に、前記中央チューブコネクターは、下部体上で回転する上部体を持ち、前記上部体及び下部体の中心を介して通過されるシリンダーが結合されるし、前記上部孔は前記上部体に配置され、前記下部孔は前記下部体に配置されることにもその特徴がある。
【００１９】
ここで、前記シリンダーは前記上部体及び下部体の中心を貫いて繋がるシリンダー本体；前記シリンダー本体の上側に繋がって外周にねじ山が形成されて前記上部体の上部とねじ締結される雄ねじ部；及び前記シリンダー本体の下側に繋がって内周にねじ山が形成されて前記下部体の下部とボルト締結される雌ねじ部；を含むことにもその特徴がある。
【００２０】
これと共に、前記上部体の下面にはリング状のスラストブッシュが設けられ、前記下部体の下側には前記シリンダー本体の外周を包むように嵌められるラジアルブッシュが設けられ、前記雌ねじ部の外周を包むように嵌められるラジアルブッシュが設けられるし、前記ボルトの外周にロックワッシャが設けられていることにもその特徴がある。
【００２１】
さらに、前記上部チューブは前記中央チューブコネクターの上方または下方へ延長されないシリンダーに対して回転することにもその特徴がある。
【００２２】
また、前記中央チューブコネクターは球状であることにもその特徴がある。
【００２３】
そして、複数個の前記上部チューブは、第１の長さの２つのチューブと第２の長さの２つのチューブで構成され、前記第１の長さは前記第２の長さより長いことにもその特徴がある。
【００２４】
さらに、前記上部孔のいずれか一つを貫いて前記上部チューブのいずれか一つの内部へ通過される弾性コードをさらに含むことにもその特徴がある。
【００２５】
同時に、前記上部チューブは下部の内側に補強チューブが挿入して結合され、前記脚チューブは上部の内側に補強チューブが挿入して結合されたことにもその特徴がある。
【００２６】
また、本発明は下端部とシーツ端部を有する複数個の上部チューブ；上端部を有する複数個の脚チューブ；複数個のチューブレセプタクルを持ち、前記上部チューブのシーツ端部が前記チューブレセプタクルに脱着できるように繋がるシーツバック；及び前記脚チューブが脱着できるように繋がる第２部と、前記第２部上で回転される第１部を含み、前記第１部に前記上部チューブを脱着できるように繋ぐ連結手段；を含み、前記下端部以外の前記上部チューブの如何なる部分も前記連結手段に接触されない折りたたみ式椅子を提供する。
【００２７】
この時、前記上部チューブのいずれか一つを貫いて前記連結手段の内部へ通過される弾性コードをさらに含むことにもその特徴がある。
【００２８】
さらに、それぞれの前記上部チューブは脱着できるセクションで構成されることにもその特徴がある。
【００２９】
また、それぞれの前記上部チューブの下端部は、前記第１部の内部の孔にぴったり合うように繋がる大きさのサイズを持つことにもその特徴がある。
【００３０】
同時に、複数個の前記上部チューブは第１の長さの２つのチューブと第２の長さの２つのチューブで構成され、前記第１の長さは前記第２の長さより長いことにもその特徴がある。
【００３１】
これと共に、底板と、前記底板の縁に前記脚チューブの個数に対応される数を持ち、前記脚チューブの下端が挿入して支持される複数個の挿入ポケットが備えられた底支持部をさらに含むことにもその特徴がある。
【００３２】
また、本発明は下端部及びシーツ端部を有し、セクションで構成される複数個の上部チューブを形成する段階；上端部を有する複数個の脚チューブを形成する段階；中央チューブコネクターの内部に複数個の上部孔と複数個の下部孔を形成するが、前記上部チューブの下端部は前記上部孔にぴったり合うように繋がる大きさのサイズを持ち、前記脚チューブの上端部は前記下部孔にぴったり合うように繋がる大きさのサイズを持つように形成する段階；及び前記上部チューブのシーツ端部上に繋げるために、複数個のチューブレセプタクルを持つシーツバックを作る段階；を含む折りたたみ式椅子の製造方法を提供する。
【００３３】
ここで、前記中央チューブコネクターは下部体上で回転する上部体を持つが、前記上部孔は前記上部体に配置され、前記下部孔は前記下部体に配置されることにもその特徴がある。
【００３４】
そして、収納バッグの内部に、前記上部チューブ、脚チューブ、中央チューブコネクター、及びシーツバックを入れる段階をさらに含むことにもその特徴がある。
【００３５】
また、弾性コードを前記上部孔のいずれか一つを通じて、前記上部チューブのいずれか一つの内部へ引っ張る段階をさらに含むことにもその特徴がある。
【００３６】
同時に、それぞれの前記上部チューブは脱着できるセクションで構成されることにもその特徴がある。
【発明の効果】
【００３７】
本発明による折りたたみ式椅子は、コンパクトで、軽量であり、堅固であって、キャンピング、ハイキング、釣り、野外コンサート及びスポーツ行事の時に野外の不均一な地面での安定的な使用に適した効果がある。
【図面の簡単な説明】
【００３８】
添付図面は同じ構成要素には同じ参照符号を使って本発明の実施例を示す。
【図１】従来の技術として２つの離隔されたチューブコネクターの周りに組み立てられた折りたたみ式椅子の斜視図。
【図２】組み立て前の図１の折りたたみ式椅子の構成要素を分解図示した図面。
【図３】本発明による折りたたみ式椅子の斜視図。
【図４】図３の折りたたみ式椅子の正面斜視図。
【図５】折りたたまれた状態で、図３の折りたたみ式椅子の上部チューブ、脚チューブ及び中央チューブコネクターを図示した図面。
【図６】組み立て過程を図示するための図３の折りたたみ式椅子を図示した図面。
【図７】シーツバックが上から上部チューブ上に配置される前の図３の折りたたみ式椅子の斜視図。
【図８】図３の折りたたみ式椅子にヒトが座っていることを図示した図面。
【図９】５つの脚チューブを持つ折りたたみ式椅子の一実施例の中央チューブコネクターを図示した図面。
【図１０】図９の中央チューブコネクターの内部を図示した図面。
【図１１】中央チューブコネクターが一つのユニットで、回転しない折りたたみ式椅子の一実施例を図示した斜視図。
【図１２】中央チューブコネクターが球形で形成されている折りたたみ式椅子の他の一実施例を図示した斜視図。
【図１３】図１２の球形中央チューブコネクターをより詳しく図示した図面。
【図１４】中央チューブコネクターが大きい直径の球形である図１２の実施例の変化を図示した図面。
【図１５】図３の折りたたみ式椅子を製造する方法の段階を図示したフローチャート。
【図１６】底支持部が設けられた折りたたみ式椅子を図示した図面。
【発明を実施するための形態】
【００３９】
以下、本発明の実施例に対して添付された図面を参考にして詳細に説明する。
【００４０】
図３は組み立て状態のコンパクトな折りたたみ式椅子（ｃｏｌｌａｐｓｉｂｌｅ  ｃｈａｉｒ；２０）を示す。このような折りたたみ式椅子２０は容易に分解され、３０ｃｍ以下の長さを持つ小さいかばんに入れることができる。
【００４１】
また、前記折りたたみ式椅子２０は４つの上部チューブ（ｕｐｐｅｒ  ｔｕｂｅ；２１−２４）、４つの脚チューブ（ｌｅｇ  ｔｕｂｅ；２５−２８）、中央チューブコネクター（ｃｅｎｔｒａｌ  ｔｕｂｅ  ｃｏｎｎｅｃｔｏｒ；２９）及びシーツバック（ｓｅａｔ  ｂａｃｋ；３０）を含んでなる。
【００４２】
この時、前記上部チューブ２１−２４と脚チューブ２５−２８は中空チューブである。また、前記上部チューブ２１−２２は脱着可能な上部及び下部セクションを持ち、前記上部チューブ２３−２４は脱着可能な上部、中間及び下部セクションを持つ。
【００４３】
前記中央チューブコネクター２９は下部体（ｌｏｗｅｒ  ｐｏｒｔｉｏｎ；３２）上で回転する上部体（ｕｐｐｅｒ  ｐｏｒｔｉｏｎ；３１）を持つ。
【００４４】
このような上部チューブ２１−２４、脚チューブ２５−２８及び中央チューブコネクター２９は、軽量であるが強いアルミニウムで作られる。よって、前記折りたたみ式椅子２０は小さいかばんに入るように軽くてコンパクトになされるので、特にハイキングやキャンピングなどの野外活動に適する。
【００４５】
前記上部チューブ２１−２４は下端部（ｌｏｗｅｒ  ｅｎｄ）とシーツ端部（ｓｅａｔ  ｅｎｄ）を有する。上部チューブ２１−２４の下端部は、上部体３１内部の４つの上部孔４６ａの中に挿入され、中央チューブコネクター２９に脱着できるように繋がる。
【００４６】
前記脚チューブ２５−２８の上端部（ｕｐｐｅｒ  ｅｎｄ）は、下部体３２内部の４つの下部孔４６ｂの中に挿入され、中央チューブコネクター２９に脱着できるように繋がる。
【００４７】
前記上部チューブ２１−２４のシーツ端部はシーツバック３０の４つの角で、それぞれチューブレセプタクル（ｔｕｂｅ  ｒｅｃｅｐｔａｃｌｅ；３３−３６）に脱着できるように繋がる。
【００４８】
前記チューブレセプタクル３３−３６は前記上部チューブ２１−２４のシーツ端部がその中にスライドされるように構成され、原反がウェッビング（ｗｅｂｂｉｎｇ）縫製されたポケットからなり、ここで原反は特定の１つに限定されるのではなく、ポリエステル、ナイロン、アクリル、ポリウレタンなど多様な種類の原反またはその合成からなることができる。
【００４９】
このようなチューブレセプタクル３３−３６はシーツバック３０の織物に接着されるか、または縫われる。折りたたみ式椅子２０の組み立て状態で、下端部とシーツ端部以外の前記上部チューブ２１−２４部分は折りたたみ式椅子２０の如何なる部分とも接触しない。前記脚チューブ２５−２８の底端部は地面で保持される。
【００５０】
図４は前面から見た折りたたみ式椅子２０の斜視図であるが、前記チューブレセプタクル３３−３６が上部チューブ２１−２４のシーツ端部上に合うように、シーツバック３０が開かれたことを図示する。
【００５１】
よって、組み立て状態で前記上部チューブ２１−２４は、シーツ端部を一緒に引っ張る、やや緊張状態にある。前記シーツバック３０はキャンバスのように製織された織物の切れじで作られる。
【００５２】
図５は折りたたまれた状態の上部チューブ２１−２４、脚チューブ２５−２８及び中央チューブコネクター２９を示す。このような全てのチューブ２１−２８は前記中央チューブコネクター２９にある孔から出ている。
【００５３】
また、前記上部チューブ２１−２４のセクションは完全に開かれている。弾性コード３７はすべてのチューブを通じて中央チューブコネクター２９内の孔の中を通過する。前記弾性コード３７はチューブセクションを他のチューブセクションの中に引っ張るし、チューブを中央チューブコネクター２９内の孔へ引っ張る傾向がある。
【００５４】
前記弾性コード３７の端部は、前記上部チューブ２１−２４のシーツ端部の中に、または脚チューブ２５−２８の底端部に嵌められる端部プラグ３８の内部に附着される。
【００５５】
一つの弾性コードは一つのチューブの端部から中央チューブコネクター２９内の孔を介して通過され、そして他のチューブの端部から外へ出る。
【００５６】
したがって、４つの弾性バンドがある。例えば、前記弾性コード３７の一端部は上部チューブ２２のシーツ端部の中に嵌められる端部プラグ３８の内部に附着され、前記弾性コード３７の他端部は上部チューブ２１のシーツ端部の中に嵌められる端部プラグ３８の内部に附着される。
【００５７】
弾性コード３７は上部体３１内の上部孔４６ａのいずれか一つを通じてチューブから通過され、上部体３１内の他の上部孔４６ａから出るし、上部チューブ２１の中に入る。
【００５８】
同様に、より短い弾性コード３９の一端部は脚チューブ２５の底端部で接地プラグ４０の内部に附着される一方、弾性コード３９の他端部は脚チューブ２６の底端部で接地プラグ４１に附着される。より短い弾性コード３９は下部体３２内の２つの孔を介して通過する。
【００５９】
また、図５は上部体３１に動力部分を旋回式で繋ぐために使われる六角頭のボルト４２を示す。前記ボルト４２は上部体３１及び下部体３２の中心を介して通過されるシリンダー４９の中にねじ結合される。
【００６０】
図６は組み立てられた折りたたみ式椅子２０を図示する。チューブ２１−２８と中央チューブコネクター２９が自分のバッグから除去される時、弾性コードは脱着可能なチューブセクションを直線に引く傾向と、チューブを中央チューブコネクター２９内の孔へ引く傾向がある。
【００６１】
そして、使用者はチューブセクションを孔と互いに整列させるし、チューブは中央チューブコネクター２９の中に引っ張られる。それぞれのより長い上部チューブ２３−２４は、下部、中間及び上部セクションを有する。例えば、上部チューブ２３は図６に示されたように、下部セクション４３、中間セクション４４及び上部セクション４５を有する。
【００６２】
下部セクション４３の下部インチは、下部セクション４３の残りよりも小さい外径を有する。より小さい外径を有する下部部分は、中央チューブコネクター２９の上部体３１内の上部孔４６ａの中にぴったり合うように嵌められる。中間セクション４４の下部部分４７と上部セクション４５の下部部分４８は、セクションの残りより小さい外径を有する。それぞれの下部部分４７−４８はおよそ２インチの長さである。より小さい外径を有する中間セクション４４の下部部分４７は下部セクション４３の上部に嵌められ、より小さい外径を有する上部セクション４５の下部部分４８は中間セクション４４の上部に嵌められる。３つのセクションを有する上部チューブ２３−２４は、２つのセクションのみを持つ上部チューブ２１−２２の第２の長さより長い第１の長さを有する。より長い上部チューブ２３−２４はシーツバック３０の後を支持する一方、より短い上部チューブ２１−２２は使用者の足が置かれることによってシーツバック３０のシーツを支持する。
【００６３】
図７は上方からシーツバック３０のコーナーでチューブレセプタクルが上部チューブ２１−２４のシーツ端部上に被せられる前の折りたたみ式椅子２０の斜視図である。図７は上部チューブ２３−２４が上部チューブ２１−２２より長いことを示す。図７の上部から見た時、シリンダー４９は上部体３１及び下部体３２の中心を通過することを見ることができる。上部体３１はシリンダー４９を通じて同軸に通過する軸に対して、下部体３２の上をピボット式で回転する。ボルト４２は上部体３１及び下部体３２周囲でシリンダー４９の二つの両端部を互いに密着して維持させる。上部チューブ２１−２４と上部体３１は短いシリンダー４９に対して回転し、中央チューブコネクター２９の上部または底を越えて拡張されることはない。
【００６４】
図８は占有者５０が組み立てられた折りたたみ式椅子２０に座っていることを示す。図８は、どうして回転される本発明による折りたたみ式椅子２０が２つに離隔されたチューブコネクター１１を持つ図１の従来技術の折りたたみ式椅子１０より安定しているかを見せる。
【００６５】
本発明による折りたたみ式椅子２０の上部体３１は、地面で休んでいる占有者の足とシーツ及び上部チューブ２１−２４が整列するように回転されることができる。中央チューブコネクター２９と占有者５０の二つの足は安定した３つのポイント基盤を形成する。脚チューブ２５−２８は地面に密着した空間を有し、占有者の足とともに３つのポイント基盤で単一支持体として作用する。
【００６６】
しかし、従来技術における折りたたみ式椅子１０では、シーツは占有者の足に合わせて自ら回転することができない。よって、占有者の足は占有者の体重を少しだけ支持するようになって、必然的に４つの椅子の脚によって均一に分散されない。プラスチックチューブコネクター１１に繋がった一つのチューブ脚の強度は占有者の体重のほとんどを支持するためには時に不足であり、チューブ脚が平たい角度で曲がるようになって、プラスチックチューブコネクター１１がこれ以上維持できなくなる。一方、折りたたみ式椅子２０では、中央チューブコネクター２９上に分散する占有者のすべての重さが、中央チューブコネクター２９の下部体３２に繋がった全ての脚チューブ上に均一に分散される。中央チューブコネクター２９の回転機能は占有者の足の助けによって作動する。折りたたみ式椅子２０は占有者の足が地面から上がる時は回転されない。
【００６７】
図９は５つの脚チューブを持つ折りたたみ式椅子２０の一実施例の中央チューブコネクター２９を示す。５つの脚チューブは４つの脚チューブよりも強い強度と安定性を提供する。図９は上部チューブが孔に挿入される前の上部体３１内の４つの孔のうち、２つを見せる。上部チューブの下端部は孔にぴったり合うように嵌められる大きさを持つ。例えば、図９は上部チューブの脱着できる下部セクション４３がその中に嵌められる上部孔４６ａを示す。
【００６８】
図１０は中央チューブコネクター２９をより詳しく示す。図１０で上部体３１は中央チューブコネクター２９の内部を露出する下部体３２から分離された。上部体３１と下部体３２は孔が形成されている堅いアルミニウムの円筒状部材で作られる。中央の同軸孔は上部体３１を通じて完全に開いていて、シリンダー４９を収容する。また、他の中央の同軸孔は下部体３２を通じて部分的に開いていて、シリンダー４９の底を収容する。より小さい直径の孔は、部分的に開いている中央孔の底に形成される。
【００６９】
前記シリンダー４９はシリンダー本体４９ａと、前記シリンダー本体４９ａの上側の雄ねじ部４９ｂと、前記シリンダー本体４９ａの下側の雌ねじ部４９ｃを含んでなる。
【００７０】
この時、前記シリンダー本体４９ａは前記上部体３１及び下部体３２の中心を貫いて繋がって、前記雄ねじ部４９ｂは前記シリンダー本体４９ａの上側の外周にねじ山が形成されて前記上部体３１の上部とねじ締結されるし、前記雌ねじ部４９ｃは前記シリンダー本体４９ａの下側に繋がって、内周にねじ山が形成され前記下部体３２の下部とボルト締結されることによって、中央チューブコネクター２９が上部体３１が下部体３２上でシリンダー４９の軸に対して回転するようになる。
【００７１】
また、前記上部体３１の下面にはリング状のスラストブッシュ（ＤＵ  ＷＡＳＨＥＲ；５４）が設けられ、ラジアルブッシュ（ＤＵ  ＢＵＳＨ；５３ａ）は下部体３２の下側にシリンダー本体４９ａの外周を包むように嵌められ、下部体３２の内側には雌ねじ部４９ｃの外周を包むように嵌められる他のラジアルブッシュ（ＤＵ  ＢＵＳＨ；５３ｂ）が設けられることによって、上部チューブと脚チューブが流動することなく堅固に固定されることができるし、ボルト４２はより小さい直径の孔を通じて下部体３２の外部からシリンダー４９の雌ねじ部４９ｃとねじ結合され、シリンダー４９を上部体３１の上部にある溝で維持されるようにする。
【００７２】
また、図１０は４つの上部チューブ２１−２４の中で、上部体３１の底表面を介して通過される２つのチューブ孔のみを示す。シーツバック３０の後を支持する上部チューブ２３−２４は、シーツバック３０のシーツを支持する上部チューブ２１−２２よりもっと垂直の角度で上部体３１に繋がる。
【００７３】
したがって、チューブ２３−２４に対する孔は上部体３１の底表面を通じて出る一方、チューブ２１−２２に対する孔は上部体３１中央の同軸孔の中へ出る。例えば、図１０はチューブ２３に対する上部孔４６ａが上部体３１の底表面を介して通過することを示す。小さい溝は弾性コードが上部体３１の底表面を越えて突出せずに両孔を介して通過できるようにするために、底表面を通じて出る孔の間に作られる。また、図１０は脚チューブが下部体３２に対して平たい角度で繋がるため、５つの脚チューブのための孔が下部体３２内で部分的に開いた中央孔の中へ全て出ることを示す。
【００７４】
図１１は中央チューブコネクター２９が一つのユニットであって、回転しない折りたたみ式椅子２０の一実施例の斜視図である。脚チューブに対する下部孔４６ｂだけでなく上部チューブに対する上部孔４６ａはいずれもアルミニウムの単一部材５５の中に開いている。中央孔は底からアルミニウムの単一部材５５の中に形成される。チューブに対する孔は中央孔の中に出る。上部チューブから他の上部チューブへ、そして一つの脚チューブから他の脚チューブへ通過される弾性コードは中央孔を通じてルーティングされる。
【００７５】
図１２は中央チューブコネクター２９が球５６の形態である折りたたみ式椅子２０の他の実施例の斜視図である。図１２の折りたたみ式椅子２０は、３つの脚チューブ５７−５９のみを持っている。
【００７６】
図１３は図１２の球（ｓｐｈｅｒｅ；５６）をより詳しく図示した図面である。脚チューブ５７−５９に対する下部孔４６ｂだけでなく、上部チューブ２１−２４に対する上部孔４６ａはいずれもアルミニウムの球５６の中で形成される。すべてのチューブ孔が球の中央で会う時、中央孔はアルミニウム球５６を通る必要がない。弾性コードは一つのチューブ孔から他のチューブ孔に直接通過されることができる。脚チューブ５９に対する弾性コードは、脚チューブ５７と脚チューブ５８の間を通過するコードの中間に繋がる。
【００７７】
図１４は中央チューブコネクター２９が大きい直径を持つ球形である、図１２の実施例の変化を示す。図５の実施例において、上部チューブ２１−２４の下部セクションの下部インチに対してのみ中央チューブコネクター２９内の孔の中に嵌められる。図１４の実施例の球５６が大きい直径を持っているため、上部チューブ２１−２４の下部セクションの約１．５ｃｍが中央チューブコネクター２９内の孔の中に嵌められる。また、脚チューブ５７−５９の約１．５ｃｍが球５６の孔の中に嵌められることができる。中央チューブコネクター２９の中へより長い挿入長さによって提供される上部チューブ２１−２４及び脚チューブ５７−５９のさらなる支持は、図１４の折りたたみ式椅子２０に追加的な安定性を提供する。
【００７８】
図１５は折りたたみ式椅子２０の製造方法の段階６０−６５を示すフローチャートである。第１段階６０において、上部チューブ２１−２４の脱着可能なセクションは中空アルミニウムチューブから形成される。各セクションはより小さい外径を有する下部部分を持つ。チューブ２３−２４の上部セクションの下部部分はチューブ２３−２４の中間セクションの上部の中にぴったり合うように嵌められる大きさを持つ。同様に、チューブ２３−２４の中間セクションの下部部分は、チューブ２３−２４の下部セクションの上部にぴったり合うように嵌められる大きさを持つ。チューブ２１−２２の上部セクションの下部部分はチューブ２１−２２の下部セクションの上部にぴったり合うように嵌められる大きさを持つ。上部チューブ２３−２４は上部セクションが中間部分で脱着できるように繋がる時に形成され、中間セクションは下部部分に脱着できるように繋がっている。上部チューブ２１−２２は、上部セクションが下部セクションで脱着できるように繋がる時に形成される。上部チューブ２１−２４は上部シーツ端部と向い合う下端部を持つ。そして、前記上部チューブ２１−２４は上部チューブの他の部分より小さい外径を有する補強チューブ７０が上部チューブの下部部分の内側に完全に挿入されるように結合され、折りたたみ式椅子をさらに堅固に支持するように構成されることが望ましい。
【００７９】
図１６は底支持部が設けられた折りたたみ式椅子を図示した図面である。図１６を参考すれば、折りたたみ式椅子の下端に底支持部８０を脱着できるように結合して使うことができ、前記底支持部８０は底板８１を備え、前記底板８０には前記脚チューブの個数に対応する数を持つ複数個の挿入ポケット８２が形成されるし、前記挿入ポケット８２ごとに脚チューブの下端が挿入されて折りたたみ式椅子を堅固に支持することで、砂のように柔らかい地盤でも折りたたみ式椅子が下方に凹まないで水平姿勢をずっと維持できるようにする。
【００８０】
段階６１において、脚チューブ２５−２８はまた中空アルミニウムチューブで形成される。それぞれの脚チューブは一つのセクションのみを持つ。脚チューブ２５−２８は上端部と下部接地端部を持つ。前記脚チューブ２５−２８は、脚チューブの残りの部分より小さい外径を有する補強チューブ７０が、脚チューブの上部部分の内側に完全に挿入されるように結合され、折りたたみ式椅子をより堅固に支持するように構成されることが望ましい。
【００８１】
段階６２において、上部孔４６ａと下部孔４６ｂは中央チューブコネクター２９内に形成される。上部孔４６ａは上に向って角が形成されており、下部孔４６ｂは下に向って角が形成されている。上部チューブ２１−２４の下端部は上部孔４６ａにぴったり合うように嵌められる大きさを持ち、脚チューブ２５−２８の上端部は下部孔４６ｂにぴったり合うように嵌められる大きさを持つ。一実施例において、中央チューブコネクター２９は下部体３２上で回転する上部体３１を持ち、上部孔４６ａは上部体３１に配置され、下部孔４６ｂは下部体３２に配置されている。
【００８２】
段階６３において、シーツバック３０は上部チューブ２１−２４のシーツ端部上に嵌められるように、略直四角形のシーツバックのコーナーに配置された４つのチューブレセプタクルで作られている。シーツバック３０は織物そしてプラスチックの幾つかの部材を一緒に縫って、チューブレセプタクルを織物またはプラスチックへ接着剤で貼ったり、または縫って作られる。
【００８３】
段階６４において、弾性コードは一つのチューブを通じて孔の中に引っ張られて他の孔の外へ出て、また他のチューブの中に入る。例えば、上部チューブ２３の端部プラグに繋がった弾性コードは、チューブ２３のセクションを介して孔４６の中に引っ張られて他の孔の外へ出るし、上部チューブ２４のセクションを介してチューブ２４の端部プラグに繋がる。同様に、脚チューブ２５の接地プラグ４０に繋がった他の弾性コードは、脚チューブ２５を下部体３２の一つの孔の中に引いて他の孔の外へ出るし、脚チューブ２６を介してチューブ２６の接地プラグ４１に繋がる。
【００８４】
段階６５において、すべてのチューブセクションは互いに分離されていて、チューブは図５に図示されたように、中央チューブコネクター２９から分離される。そして、チューブは互いに相対的に平行であり、上部チューブ２１−２４、脚チューブ２５−２８、中央チューブコネクター２９及びシーツバック３０は収納バッグに入れられる。この時、前記シーツバック３０は長さ３０ｃｍ、または３０ｃｍより短い長さを有しているので、収納内容物がコンパクトに収納できるようにすることが望ましい。
【００８５】
また、シーツバック３０は収納バッグに入れる前に折りたたまれてしまうことがある。すべてのチューブセクションと脚チューブは１２インチの長さより小さいため、折りたたみ式椅子２０の構成部品は３０ｃｍ以下の長さを有する小さい収納バッグに入れることができるし、これはキャンピングとハイキングに理想的である。そして、収納バッグの直径は約４インチ程度である。
【００８６】
以上、本発明を説明するために任意の特定実施例を挙げて説明したが、本発明は特定実施例に限定されるものではない。よって、記述された実施例の幾つかの特徴部の多様な修正、適用、そして組合が請求範囲に記載された本発明の領域を脱することなく実行されることができる。
【産業上の利用可能性】
【００８７】
本発明による折りたたみ式椅子はコンパクトで、軽量であり、堅固でありながら、キャンピング、ハイキング、釣り、野外コンサート及びスポーツ行事の時、野外の不均一な地面での安定的な使用に適しているので、産業上の利用可能性がある。
【図１】
0006277571.tif 000002
【図２】
0006277571.tif 000003
【図３】
0006277571.tif 000004
【図４】
0006277571.tif 000005
【図５】
0006277571.tif 000006
【図６】
0006277571.tif 000007
【図７】
0006277571.tif 000008
【図８】
0006277571.tif 000009
【図９】
0006277571.tif 000010
【図１０】
0006277571.tif 000011
【図１１】
0006277571.tif 000012
【図１２】
0006277571.tif 000013
【図１３】
0006277571.tif 000014
【図１４】
0006277571.tif 000015
【図１５】
0006277571.tif 000016
【図１６】
0006277571.tif 000017